(57)【特許請求の範囲】
【請求項１】
キャビネット等の庫体の開口部に複数のヒンジ具により扉を開閉可能に設け、前記ヒンジ具は少なくとも前記扉の裏面側部と前記庫体の側板に取付ける第１ヒンジ部材と第２ヒンジ部材及び該第１ヒンジ部材と第２ヒンジ部材とを連結するリンク部材を備え、前記扉又は庫体の側板に固定する調整部材に前記第１ヒンジ部材又は第２ヒンジ部材を水平方向スライド可能に連結するとともに、該調整部材に垂設した基準片と前記第１ヒンジ部材又は第２ヒンジ部材の端部側に設けた可動片を対向させて配置し、前記第１ヒンジ部材又は第２ヒンジ部材の可動片に前記調整ネジの頭部側を定位置回動可能に係着し、前記調整部材の基準片に形成した螺孔に前記調整ネジのネジ軸を螺合し、扉閉止状態で外側から前記リンク部材を貫通させた回転工具で前記調整ネジの頭部を回転させることにより前記調整部材に対して前記第１ヒンジ部材又は第２ヒンジ部材を水平方向に微動させてなることを特徴とする扉ヒンジの姿勢調整装置。
【請求項２】
前記第１ヒンジ部材又は第２ヒンジ部材は、本体部の上下両側に取付板部を形成し、一方、前記調整部材は前記両取付板部に接合する固定板部を有するとともに、両固定板部の内側端部を連結板部で連結した側面視略コ字形であり、前記連結板部に前記基準片を形成するとともに、前記本体部の内側端部に前記可動片を形成し、前記基準片を該可動片の内側に配置してなる請求項１記載の扉ヒンジの姿勢調整装置。
【請求項３】
前記取付板部の両端部に水平方向に延びた長孔を形成し、前記固定板部の両端部に通孔を形成し、前記取付板部の長孔と前記固定板部の通孔に挿通したリベット状の結合部材で水平方向スライド可能に結合してなる請求項２記載の扉ヒンジの姿勢調整装置。
【請求項４】
キャビネット等の庫体の開口部に複数のヒンジ具により扉を開閉可能に設け、前記ヒンジ具は少なくとも前記扉の裏面側部と前記庫体の側板に取付ける第１ヒンジ部材と第２ヒンジ部材及び該第１ヒンジ部材と第２ヒンジ部材とを連結するリンク部材を備え、扉閉止状態において、前記扉の側端面に形成した開口から前記ヒンジ具のリンク部材と該扉の姿勢を調整するための調整ネジの頭部を臨ませ、外側から前記調整ネジの頭部を回転工具で回転可能とし、扉を閉じたまま該扉の姿勢を調整してなることを特徴とする扉ヒンジの姿勢調整装置。
【請求項５】
前記扉の側端面の開口にキャップを着脱可能に装着してなる請求項４記載の扉ヒンジの姿勢調整装置。
【発明の詳細な説明】
【技術分野】
【０００１】
本発明は、扉ヒンジの姿勢調整装置に係わり、更に詳しくはキャビネット等の収納庫に設けた扉の姿勢を微調整可能な扉ヒンジの姿勢調整装置に関するものである。
【背景技術】
【０００２】
従来からキャビネットの開口部の框に対して扉勝ちに開閉扉を配し、該扉をヒンジ具によって１８０度開閉可能となしたものは各種提供されている。この場合、ヒンジ具の一端部の固定部をキャビネットの側板内面にネジ止めするとともに、ヒンジ具の他端の可動部を扉の裏面にネジ止めして取付ける構造が一般的である。
【０００３】
ここで、キャビネットの開口部に２枚の扉を配置して両側へ開閉するようにすることが一般的な態様であるが、両扉を閉じた際の召し合わせ部分のずれは、外観性を損なうばかりでなく、極端な場合には扉の開閉に支障を来たすことになる。このような場合、従来は扉を開き、扉を固定するヒンジ具の可動部の固定ネジを緩め、ヒンジ具に対して扉の位置を調整し、固定ネジを締め、扉を閉じて調整具合を確認するといった作業を行う。そして、両扉の召し合わせ部分のずれが許容範囲になるまでこの一連の作業を繰り返すので、非常に手間がかかる。
【０００４】
例えば、特許文献１には、ヒンジ装置の固定部とキャビネットの側板との間、又はヒンジ装置の可動部と扉との間に、固定部又は可動部の取付位置を、上下方向と水平方向とに調節する取付位置調節手段を設け、該取付位置調節手段が、側板又は扉に固着される取付板と、この取付板に対して、中間板を上下方向に位置調節する上下位置調節手段と、前記中間板に対して、固定部又は可動部を水平方向に位置調節する水平位置調節手段とを備えた扉の取付構造が記載されている。ここで、具体的な位置調節手段は、互いに接合する一対の板において、一方の板に螺孔を形成し、他方の板に上下方向又は水平方向に延びた長孔を形成し、長孔に挿通した調節ネジを螺孔に螺合して固定し、調節ネジを緩めて長孔の長手方向に該長孔を形成した板を移動させて調節するというものである。この特許文献１に記載のものは、扉を上下方向と水平方向に位置調節することができるが、前述の問題は解決されてない。
【０００５】
特許文献２には、蝶番で開閉する扉の調節機構に関するものであるが、一方の蝶番部材を、扉又は扉取付部に固定する受け部材の凹部に収容し、更に蝶番部材を押え部材で挟み込む配置とし、前記受け部材の凹部の底面に形成した水平方向の長孔と、前記蝶番部材と押え部材に形成した通孔にリベット状の結合部材を挿通して結合一体化し、受け部材に対して蝶番部材と押え部材を水平方向に移動可能とし、前記受け部材の端部に縁部遮蔽部を設けるとともに、それに対向して前記押え部材に対向曲げ部を形成し、前記縁部遮蔽部に切り欠き形成した調整ネジ挿通部に調整ネジの頭部とフランジ状のストッパの間の軸部を定位置回動可能に嵌合するとともに、調整ネジの螺軸を前記対向曲げ部に形成した螺孔に螺合し、前記調整ネジを回転することにより、前記受け部材に対して蝶番部材を水平方向に移動させて調節する機構が開示されている。
【０００６】
しかし、特許文献２に記載の構造は、受け部材に対して蝶番部材の角度も調整することができるようにしているため、結合部材による蝶番部材の結合に大きな余裕を持たせているため、調整後には別途固定する必要がある。そのため、押さえ部材及び蝶番部材を貫通して受け部材にネジ込まれるロックネジを設け、該ロックネジを緩めて調整ネジを回転させることにより所期の調整を行い、調整終了後にはロックネジを再びドライバにより締め込んで、調整後の位置を保持する必要があり、扉ヒンジの姿勢調整には煩雑さが残るばかりでなく、ロックネジを締め込んだ際に扉の姿勢が微妙にずれる可能性がある。
【先行技術文献】
【特許文献】
【０００７】
【特許文献１】特開２００８−１２１３１２号公報
【特許文献２】特許第３７４７１０２号公報
【発明の概要】
【発明が解決しようとする課題】
【０００８】
そこで、本発明が前述の状況に鑑み、解決しようとするところは、キャビネット等の庫体の開口部に複数のヒンジ具により扉を開閉可能に設け、各ヒンジ具の扉又は庫体への取付部の位置を簡単な作業で水平方向に微動させて扉の姿勢を調整可能とした扉ヒンジの姿勢調整装置を提供する点にある。
【課題を解決するための手段】
【０００９】
本発明は、前述の課題解決のために、キャビネット等の庫体の開口部に複数のヒンジ具により扉を開閉可能に設け、前記ヒンジ具は少なくとも前記扉の裏面側部と前記庫体の側板に取付ける第１ヒンジ部材と第２ヒンジ部材及び該第１ヒンジ部材と第２ヒンジ部材とを連結するリンク部材を備え、前記扉又は庫体の側板に固定する調整部材に前記第１ヒンジ部材又は第２ヒンジ部材を水平方向スライド可能に連結するとともに、該調整部材に垂設した基準片と前記第１ヒンジ部材又は第２ヒンジ部材の端部側に設けた可動片を対向させて配置し、前記第１ヒンジ部材又は第２ヒンジ部材の可動片に前記調整ネジの頭部側を定位置回動可能に係着し、前記調整部材の基準片に形成した螺孔に前記調整ネジのネジ軸を螺合し、扉閉止状態で外側から前記リンク部材を貫通させた回転工具で前記調整ネジの頭部を回転させることにより前記調整部材に対して前記第１ヒンジ部材又は第２ヒンジ部材を水平方向に微動させてなることを特徴とする扉ヒンジの姿勢調整装置を構成した（請求項１）。
【００１０】
そして、前記第１ヒンジ部材又は第２ヒンジ部材は、本体部の上下両側に取付板部を形成し、一方、前記調整部材は前記両取付板部に接合する固定板部を有するとともに、両固定板部の内側端部を連結板部で連結した側面視略コ字形であり、前記連結板部に前記基準片を形成するとともに、前記本体部の内側端部に前記可動片を形成し、前記基準片を該可動片の内側に配置してなることが好ましい（請求項２）。
【００１１】
ここで、前記取付板部の両端部に水平方向に延びた長孔を形成し、前記固定板部の両端部に通孔を形成し、前記取付板部の長孔と前記固定板部の通孔に挿通したリベット状の結合部材で水平方向スライド可能に結合してなることも好ましい（請求項３）。
【００１２】
そして、本発明は、キャビネット等の庫体の開口部に複数のヒンジ具により扉を開閉可能に設け、前記ヒンジ具は少なくとも前記扉の裏面側部と前記庫体の側板に取付ける第１ヒンジ部材と第２ヒンジ部材及び該第１ヒンジ部材と第２ヒンジ部材とを連結するリンク部材を備え、扉閉止状態において、前記扉の側端面に形成した開口から前記ヒンジ具のリンク部材と該扉の姿勢を調整するための調整ネジの頭部を臨ませ、外側から前記調整ネジの頭部を回転工具で回転可能とし、扉を閉じたまま該扉の姿勢を調整してなることを特徴とする扉ヒンジの姿勢調整装置を構成した（請求項４）。
【００１３】
ここで、前記扉の側端面の開口にキャップを着脱可能に装着してなることが好ましい（請求項５）。
【発明の効果】
【００１４】
以上にしてなる請求項１に係る発明の扉ヒンジの姿勢調整装置は、キャビネット等の庫体の開口部に複数のヒンジ具により扉を開閉可能に設け、前記ヒンジ具は少なくとも前記扉の裏面側部と前記庫体の側板に取付ける第１ヒンジ部材と第２ヒンジ部材及び該第１ヒンジ部材と第２ヒンジ部材とを連結するリンク部材を備え、前記扉又は庫体の側板に固定する調整部材に前記第１ヒンジ部材又は第２ヒンジ部材を水平方向スライド可能に連結するとともに、該調整部材に垂設した基準片と前記第１ヒンジ部材又は第２ヒンジ部材の端部側に設けた可動片を対向させて配置し、前記第１ヒンジ部材又は第２ヒンジ部材の可動片に前記調整ネジの頭部側を定位置回動可能に係着し、前記調整部材の基準片に形成した螺孔に前記調整ネジのネジ軸を螺合し、扉閉止状態で外側から前記リンク部材を貫通させた回転工具で前記調整ネジの頭部を回転させることにより前記調整部材に対して前記第１ヒンジ部材又は第２ヒンジ部材を水平方向に微動させてなるので、扉を閉じた状態で、外側から挿入した回転工具で調整ネジの頭部を回転工具で回転させて、基準片に対して可動片を水平方向に移動させて扉の姿勢を調整することができ、扉の召し合わせ部分を目視しながら扉の姿勢を調整できるので、従来のものより調整のめの工数が極端に少なくなり、極めて短時間で正確に調整することができ、更に何ら固定ネジを緩めなくても、単に調整ネジを回転させるだけで、前記扉又は庫体の側板に固定した調整部材に対して第１ヒンジ部材又は第２ヒンジ部材の本体部の位置を水平方向に移動させて扉の姿勢を調整できるのであり、しかも基準片に対して可動片を調整ネジと螺孔の螺合による軸方向の大きな駆動力によって微動させるので扉の姿勢を正確に調整することができ、そして調整後は固定ネジを締め付ける作業が全く必要ないので、扉の姿勢の調整作業が簡単になり、また扉の姿勢が変化することがないのである。
【００１５】
請求項２によれば、前記第１ヒンジ部材又は第２ヒンジ部材は、本体部の上下両側に取付板部を形成し、一方、前記調整部材は前記両取付板部に接合する固定板部を有するとともに、両固定板部の内側端部を連結板部で連結した側面視略コ字形であり、前記連結板部に前記基準片を形成するとともに、前記本体部の内側端部に前記可動片を形成し、前記基準片を該可動片の内側に配置してなるので、既存のヒンジ具の構造に大きな変更を加えることなく、ヒンジ具の取付位置を調整するための調整部材を配置することができ、しかも調整部材は簡単な構造であるので、コスト上昇を最小限に抑制することができる。
【００１６】
請求項３によれば、前記取付板部の両端部に水平方向に延びた長孔を形成し、前記固定板部の両端部に通孔を形成し、前記取付板部の長孔と前記固定板部の通孔に挿通したリベット状の結合部材で水平方向スライド可能に結合してなるので、扉又は庫体の側板に固定した調整部材の固定板部に対して、第１ヒンジ部材又は第２ヒンジ部材の本体部の上下両側に形成した取付板部を水平方向にスライド移動させることができ、また固定板部に対する取付板部の結合強度は高くなり、調整後に固定ネジで取付板部を締め付ける必要がないのである。
【００１７】
そして、請求項４に係る発明の扉ヒンジの姿勢調整装置は、キャビネット等の庫体の開口部に複数のヒンジ具により扉を開閉可能に設け、前記ヒンジ具は少なくとも前記扉の裏面側部と前記庫体の側板に取付ける第１ヒンジ部材と第２ヒンジ部材及び該第１ヒンジ部材と第２ヒンジ部材とを連結するリンク部材を備え、扉閉止状態において、前記扉の側端面に形成した開口から前記ヒンジ具のリンク部材と該扉の姿勢を調整するための調整ネジの頭部を臨ませ、外側から前記調整ネジの頭部を回転工具で回転可能とし、扉を閉じたまま該扉の姿勢を調整してなるので、扉を閉じた状態で、外側から挿入した回転工具で調整ネジの頭部を回転工具で回転させて、基準片に対して可動片を水平方向に移動させて扉の姿勢を調整することができ、扉の召し合わせ部分を目視しながら扉の姿勢を調整できるので、従来のものより調整のめの工数が極端に少なくなり、極めて短時間で正確に調整することができる。
【００１８】
請求項５によれば、前記扉の側端面の開口にキャップを着脱可能に装着してなるので、通常は開口にキャップを装着し、ヒンジ具のリンク部材を見えないようにすることができる。
【図面の簡単な説明】
【００１９】
【図１】本発明の扉ヒンジの姿勢調整装置の第１実施形態を適用したキャビネットにおいて、扉の姿勢を調整中の状態を示す簡略斜視図である。
【図２】同じく両側の扉を開いた状態の簡略横断面図である。
【図３】第１実施形態の扉ヒンジの姿勢調整装置を示す斜視図である。
【図４】同じく扉を開いた状態の要部拡大横断面図である。
【図５】本発明の扉ヒンジの姿勢調整装置の第２実施形態を適用したキャビネットにおいて、扉の姿勢を調整中の状態を示す簡略斜視図である。
【図６】同じく部分破断で示したキャビネットの平面図である。
【図７】扉に調整部材とヒンジ具を取付けた状態の扉の背面図である。
【図８】第２実施形態の扉ヒンジの姿勢調整装置を示す斜視図である。
【図９】同じく扉を閉じた状態の要部拡大横断面図である。
【図１０】扉の姿勢を調整中の状態で、庫体を省略した状態の扉の背面図である。
【発明を実施するための形態】
【００２０】
次に、添付図面に示した実施形態に基づき、本発明を更に詳細に説明する。図１〜図４は本発明の扉ヒンジの姿勢調整装置の第１実施形態を示し、図５〜図１０は本発明の扉ヒンジの姿勢調整装置の第２実施形態を示し、図中符号１はキャビネット等の庫体、２は扉、３はヒンジ具、４は第１ヒンジ部材、５は第２ヒンジ部材、６はリンク部材、７は調整部材、８は調整ネジをそれぞれ示している。
【００２１】
本実施形態では、収納庫として一般的なファイルを収容するキャビネットを例示しているが、本発明はキャビネットに限定されない。本実施形態のキャビネットは、庫体１の開口部９に左右両側に扉２，２を配置し、庫体１の側板１０に上下に複数のヒンジ具３，…にて開閉可能に取付けているが、好ましくは上下二つのヒンジ具３，３で扉２を支持することが姿勢を調整する上では好ましい。また、本発明は、両開きの収納庫は勿論、片開きの収納庫にも適用可能である。更に、稀ではあるが、扉２が上下に開閉する構造の収納庫にも適用可能であり、その場合には以下の説明で水平方向を鉛直方向と読み替えればよい。そして、前記ヒンジ具３は、少なくとも前記扉２の裏面端部と前記庫体１の側板１０に取付ける第１ヒンジ部材４と第２ヒンジ部材５とを備えている。
【００２２】
更に、本実施形態では、キャビネットの開口部９の框に対して扉勝ちに前記扉２，２を配し、前記扉２を１８０°開いて、隣接するキャビネットの扉２の前面に位置させることができるように、第１ヒンジ部材４と第２ヒンジ部材５とをリンク部材６で連結している。本実施形態のヒンジ具３の機構部は、市販されているものと基本的に同じである。
【００２３】
更に詳しく、図３及び図４に基づき、前記ヒンジ具３の構造を説明する。第２ヒンジ部材５は、第１ヒンジ部材４に対し、前記リンク部材６によって回動可能に、かつ移動可能に連結されている。ここで、前記リンク部材６は、可動リンク１１、第１回動リンク１２及び第２回動リンク１３で構成されている。
【００２４】
第１ヒンジ部材４と第２ヒンジ部材５との何れか一方は、庫体１の側板１０の開口部９近傍に位置する内面に取付け、他方は扉２の裏面側部に取付けられる。本実施形態では、前記第１ヒンジ部材４を扉２に取付け、前記第２ヒンジ部材５を前記庫体１の側板１０に取付けている。従って、第１ヒンジ部材４と扉２とは一体に回動する。
【００２５】
前記扉２は、図２及び図４に示した１８０°開放した開位置から回動して閉位置に達すると、庫体１に当たってその開口部９を閉じる。第１ヒンジ部材４は、閉位置、中間位置及び開位置においてはヒンジ具３に設けられたキャッチ機構１４によって所定の大きさの力で各位置に維持されるようなっている。
【００２６】
本発明は、キャビネット等の庫体１の開口部９に複数のヒンジ具３，…により扉２を開閉可能に設け、前記ヒンジ具３は少なくとも前記扉２の裏面側部と前記庫体１の側板１０に取付ける第１ヒンジ部材４と第２ヒンジ部材５とを備え、前記扉２に固定する調整部材７に前記第１ヒンジ部材４を水平方向スライド可能に連結するとともに、該調整部材７に垂設した基準片１５と前記第１ヒンジ部材４の端部側に設けた可動片１６を対向させて配置し、前記基準片１５と可動片１６の一方に調整ネジ８の頭部１７側を定位置回動可能に係着し、前記基準片１５と可動片１６の他方に形成した螺孔１８に調整ネジ８のネジ軸１９を螺合し、該調整ネジ８を回転させることにより前記調整部材７に対して前記第１ヒンジ部材４を水平方向に微動させるのである。尚、図示しないが、本発明は、前記庫体１の側板１０に前記調整部材７を固定し、該調整部材７に第２ヒンジ部材５を水平方向スライド可能に連結するとともに、該調整部材７に垂設した基準片１５と前記第２ヒンジ部材５の端部側に設けた可動片１６を対向させて配置しても良い。
【００２７】
そして、図３及び図４に示すように、前記第１ヒンジ部材４は、断面略コ字形の本体部２０の上下両側に取付板部２１，２１を形成し、一方、前記調整部材７は前記両取付板部２１，２１に接合する固定板部２２，２２を有するとともに、両固定板部２２，２２の内側端部を連結板部２３で連結した側面視略コ字形であり、前記連結板部２３に前記基準片１５を形成するとともに、前記本体部２０の内側端部に前記可動片１６を形成し、前記基準片１５を該可動片１６の内側、つまり扉２の中央部側に配置している。
【００２８】
前記調整部材７に水平方向スライド可能に第１ヒンジ部材４を連結するには、前記第１ヒンジ部材４の本体部２０に折曲形成した取付板部２１の両端部に、水平方向に延びた長孔２４，２４を形成し、前記調整部材７の固定板部２２の両端部に通孔２５，２５を形成し、前記取付板部２１の長孔２４と前記固定板部２２の通孔２５に挿通したリベット状の結合部材２６でスライド可能に結合している。ここで、前記結合部材２６，…によって、前記取付板部２１に固定板部２２をスライド可能に結合するには、両板部間にガタツキが生じない程度の僅かなクリアランスを設ける必要がある。また、前記結合部材２６は、ネジで置き換えることも可能であり、このネジは、頭部に連続して前記取付板部２１の板厚よりも僅かに軸方向寸法が長い円柱状の首部が形成され、該首部から段落ちしてネジ部が形成されたものであり、前記固定板部２２の通孔２５の代わりに形成された螺孔にネジ部を螺合し、前記取付板部２１に固定板部２２をスライド可能に連結することも可能である。
【００２９】
そして、第１実施形態では、図３及び図４に示すように、前記調整部材７の基準片１５に前記調整ネジ８の頭部１７側を定位置回動可能に係着し、前記第１ヒンジ部材４の本体部２０の底部に固定した、又は底部を切り起こし形成した前記可動片１６に形成した螺孔１８に前記調整ネジ８のネジ軸１９を螺合し、第１ヒンジ部材４の内側から前記調整ネジ８の頭部１７を回転可能としている。ここで、前記調整ネジ８を基準片１５に定位置回動可能に係着するには、前記基準片１５の中央部に扉２側に開放した切欠部２７を形成し、前記調整ネジ８のネジ軸１９を前記可動片１６の螺孔１８に螺合した状態で、前記頭部１７と該頭部１７に接近させて設けたフランジ状のストッパ２８の間の軸部を前記切欠部２７に嵌合する構造となっている。
【００３０】
また、図４に示すように、前記扉２の表面板２９と裏面板３０との間に空間を有し、前記第１ヒンジ部材４を取付ける位置の前記裏面板３０に切欠開口３１を形成している。そして、図３及び図４に示すように、前記切欠開口３１の上下部に前記調整部材７の両固定板部２２，２２を固定ネジ３２，３２で締め付けて固定する。前記調整部材７の各固定板部２２の中央部には、固定ネジ３２のネジ部を挿通する取付孔３３を形成し、該取付孔３３に通した前記固定ネジ３２を扉２の裏面板３０に形成した螺孔に螺合し、又は固定ネジ３２がタッピンネジの場合には裏面板３０に形成した孔にタップを切りながら螺合する。そして、前記第１ヒンジ部材４の取付板部２１の中央部には、前記固定ネジ３２の頭部３４に干渉しないように逃がし孔３５を形成している。実際には、前記調整部材７の両固定板部２２，２２を第１ヒンジ部材４の両取付板部２１，２１に結合した状態で、第１ヒンジ部材４の本体部２０を前記切欠開口３１の内部に落とし込み、表面板２９の裏面に当接させるとともに、前記調整部材７の両固定板部２２，２２を前記取付板部２１の逃がし孔３５に臨んだ取付孔３３に通して裏面板３０に螺合するのである。
【００３１】
本実施形態の場合、図１及び図２に示すように、前記扉２を開いた状態で、前記調整ネジ８の頭部１７にドライバ又は六角レンチなどの回転工具３６を係合させて回転させ、前記調整部材７に対して第１ヒンジ部材４を水平方向に移動させて当該扉２の姿勢を調整するのである。
【００３２】
次に、図５〜図１０に基づいて、本発明の第２実施形態を説明する。本実施形態も大部分の構成が前述の第１実施形態と共通するので、同一構成には同一符号を付して、その説明は省略する。本実施形態では、前記ヒンジ具３は、第１ヒンジ部材４と第２ヒンジ部材５とをリンク部材６にて連結し、前記第１ヒンジ部材４の可動片１６に前記調整ネジ８の頭部１７側を定位置回動可能に係着し、前記調整部材７の基準片１５に形成した螺孔３７に前記調整ネジ８のネジ軸１９を螺合し、扉閉止状態で外側から前記リンク部材６を貫通させた回転工具３６で前記調整ネジ８の頭部１７を回転可能としたのである。ここで、前記同様に、前記基準片１５と可動片１６は、スライド移動方向に対して直交するように設けるとともに、前記基準片１５を前記可動片１６の内側、つまり扉２の中央部側に配置している。それにより、本実施形態では、前記調整ネジ８の頭部１７は、扉２の外側へ向けている。
【００３３】
更に詳しくは、図８及び図９に示すように、前記本体部２０に設けた前記可動片１６には、前記調整ネジ８の頭部１７が挿入できる大径の孔と該頭部１７とストッパ２８の間の軸部を嵌合できる小径の孔が連続したダルマ孔３８を形成している。そして、前記調整部材７の連結板部２３に設けた基準片１５の螺孔３７に、前記調整ネジ８のネジ軸１９を螺合した状態で、前記調整ネジ８の頭部１７を前記ダルマ孔３８に挿入し、前記取付板部２１と固定板部２２を重ね合せると同時に頭部１７とストッパ２８の間の軸部を前記ダルマ孔３８に定位置回動可能に嵌合し、それから前記取付板部２１と固定板部２２を結合部材２６にてスライド可能に結合するのである。
【００３４】
ここで、図９に示すように、前記扉２の側端面で前記ヒンジ具３に対応する位置に開口３９を形成し、該開口３９に着脱可能にキャップ４０を装着している。更に、前記キャップ４０を外して前記開口３９に臨んだ前記ヒンジ具３のリンク部材６を通して前記調整ネジ８の頭部１７に直線状にアクセスできるように、リンク部材６を構成する複数の部材にリンク用の枢軸を避けて貫通孔４１を形成している。それにより、前記開口３９から貫通孔４１を通してドライバや六角レンチ等の回転工具３６を挿入して前記調整ネジ８の頭部１７に係合させ、該調整ネジ８を回転させて、扉２の姿勢の調整を該扉２を閉じたまま行うことができるのである。そして、扉２の姿勢調整後には、前記開口３９をキャップ４０で塞いで完了する。
【００３５】
尚、扉２を閉じた状態で前記リンク具３のリンク部材６を構成する各部材に予め空隙を設けておけば、前記貫通孔４１を形成しないようにすることも可能である。更に、予め前記調整ネジ８の頭部１７にフレキシブル回転伝達ワイヤの一端を結合しておき、前記リンク部材６を避けて配設したフレキシブル回転伝達ワイヤの他端を前記開口３９の位置まで引き出しておくことも可能であり、この場合には直線状のアクセスは必ずしも必要ではない。また、フレキシブル回転伝達ワイヤに代えてユニバーサルジョイントや他の機械的な回転伝達機構を用いることも可能である。
【符号の説明】
【００３６】
１  庫体、                ２  扉、
３  ヒンジ具、            ４  第１ヒンジ部材、
５  第２ヒンジ部材、      ６  リンク部材、
７  調整部材、            ８  調整ネジ、
９  開口部、              １０  側板、
１１  可動リンク、        １２  第１回動リンク、
１３  第２回動リンク、    １４  キャッチ機構、
１５  基準片、            １６  可動片、
１７  頭部、              １８  螺孔、
１９  ネジ軸、            ２０  本体部、
２１  取付板部、          ２２  固定板部、
２３  連結板部、          ２４  長孔、
２５  通孔、              ２６  結合部材、
２７  切欠部、            ２８  ストッパ、
２９  表面板、            ３０  裏面板、
３１  切欠開口、          ３２  固定ネジ、
３３  取付孔、            ３４  頭部、
３５  逃がし孔、          ３６  回転工具、
３７  螺孔、              ３８  ダルマ孔、
３９  開口、              ４０  キャップ、
４１  貫通孔。
【図１】
0005703728.tif 000002
【図２】
0005703728.tif 000003
【図３】
0005703728.tif 000004
【図４】
0005703728.tif 000005
【図５】
0005703728.tif 000006
【図６】
0005703728.tif 000007
【図７】
0005703728.tif 000008
【図８】
0005703728.tif 000009
【図９】
0005703728.tif 000010
【図１０】
0005703728.tif 000011